(57)【要約】【課題】「ＥｑｕｉｖａｌｅｎｔＢａｎｄＩｎｄ」によって識別されるバンド用の「ＵＬ  ＥＡＲＦＣＮ」を報知することなく、移動局ＵＥにおいて、かかる「ＵＬ  ＥＡＲＦＣＮ」を算出する。【解決手段】本発明に係る移動通信方法は、移動局ＵＥが、ＳＩＢ１を介して、バンド１９を特定する「ＦｒｅｑＢａｎｄＩｎｄ」及びバンド２６を特定する「ＥｑｕｉｖａｌｅｎｔＢａｎｄＩｎｄ」を取得し、ＳＩＢ２を介して、バンド１９用の「ＵＬ  ＥＡＲＦＣＮ」を取得し、上述の「ＦｒｅｑＢａｎｄＩｎｄ」及びバンド１９用の「ＵＬ  ＥＡＲＦＣＮ」を用いて、上りリンクにおけるキャリア周波数ＦＵＬを算出し、上述の「ＥｑｕｉｖａｌｅｎｔＢａｎｄＩｎｄ」及び上りリンクにおけるキャリア周波数ＦＵＬを用いて、バンド２６内の「ＵＬ  ＥＡＲＦＣＮ」を算出する工程を有する。【選択図】図４
2013098591.tif 000002
【特許請求の範囲】
【請求項１】
移動局が、第１報知情報を介して、第１バンドを特定する第１バンド情報及び第２バンドを特定する第２バンド情報を取得する工程と、
前記移動局が、第２報知情報を介して、前記第１バンド用の上りリンクにおける周波数識別情報を取得する工程と、
前記移動局が、前記第１バンド情報及び前記第１バンド用の上りリンクにおける周波数識別情報を用いて、上りリンクにおけるキャリア周波数を算出する工程と、
前記移動局が、前記第２バンド情報及び前記上りリンクにおけるキャリア周波数を用いて、前記第２バンド用の上りリンクにおける周波数識別情報を算出する工程とを有することを特徴とする移動通信方法。
【請求項２】
受信部及び算出部を具備する移動局であって、
前記受信部は、第１報知情報を介して、第１バンドを特定する第１バンド情報及び第２バンドを特定する第２バンド情報を取得し、第２報知情報を介して、該第１バンド用の上りリンクにおける周波数識別情報を取得するように構成されており、
前記算出部は、前記第１バンド情報及び前記第１バンド用の上りリンクにおける周波数識別情報を用いて、上りリンクにおけるキャリア周波数を算出するように構成されており、
前記算出部は、前記第２バンド情報及び前記上りリンクにおけるキャリア周波数を用いて、前記第２バンド用の上りリンクにおける周波数識別情報を算出するように構成されていることを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、無線基地局ｅＮＢは、ＳＩＢ１（Ｓｙｓｔｅｍ  Ｉｎｆｏｒｍａｔｉｏｎ  Ｂｌｏｃｋ  １）を介して、移動局ＵＥに対して、無線基地局ｅＮＢがサポートしているバンド（Ｂａｎｄ、帯域）を通知する「ＦｒｅｑＢａｎｄＩｎｄ（Ｂａｎｄ  Ｉｎｄｉｃａｔｏｒ）」を通知するように構成されている。
【０００３】
一方、移動局ＵＥは、認証試験に合格したバンドのみで接続処理を行うことができるように構成されている。
【０００４】
すなわち、移動局ＵＥは、無線基地局ｅＮＢによって、認証試験に合格したバンドと異なるバンドが通知された場合には、通知されたバンドにて接続処理を行うことができないように構成されている。
【先行技術文献】
【非特許文献】
【０００５】
【非特許文献１】３ＧＰＰ  ＴＳ２５.１０１
【非特許文献２】３ＧＰＰ  ＴＳ３６.１０１
【非特許文献３】３ＧＰＰ寄書  Ｒ４-１１３３１０、「ＬＳ  ｏｎ  Ｓｉｇｎａｌｌｉｎｇ  ｏｆ  ａｄｄｉｔｉｏｎａｌ  ｆｒｅｑｕｅｎｃｙ  ｂａｎｄ  ｉｎｄｉｃａｔｏｒｓ」
【発明の概要】
【発明が解決しようとする課題】
【０００６】
ここで、ＬＴＥのＲｅｌｅａｓｅ-１１方式では、無線基地局ｅＮＢが、ＳＩＢ１を介して、既存の「ＦｒｅｑＢａｎｄＩｎｄ」に加えて、グローバルバンドを通知するための「ＥｑｕｉｖａｌｅｎｔＢａｎｄＩｎｄ（Ｅｑｕｉｖａｌｅｎｔ  Ｂａｎｄ  Ｉｎｄｉｃａｔｏｒ）」を報知することが検討されている。
【０００７】
かかる場合、移動局ＵＥは、「ＦｒｅｑＢａｎｄＩｎｄ」によって特定されるバンド（例えば、バンド１９）に加えて、「ＥｑｕｉｖａｌｅｎｔＢａｎｄＩｎｄ」によって特定されるバンド（例えば、バンド２６）で接続処理を行うことができるように構成されている。
【０００８】
また、ＬＴＥ方式では、各バンド内の上りリンクにおけるキャリア周波数及び下りリンクにおけるキャリア周波数は、それぞれ「ＵＬ  ＥＡＲＦＣＮ（Ｕｐｌｉｎｋ  Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」及び「ＤＬ  ＥＡＲＦＣＮ（Ｄｏｗｎｌｉｎｋ  Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」によって識別されるように構成されている。
【０００９】
なお、ＬＴＥ方式では、同一のキャリア周波数であっても、バンドが異なれば、かかるキャリア周波数を識別する「ＵＬ  ＥＡＲＦＣＮ」或いは「ＤＬ  ＥＡＲＦＣＮ」は異なるものとなるように規定されている。
【００１０】
ＬＴＥ方式では、上述の非特許文献２に規定されている「Ｔｘ  Ｒｘ  ｓｅｐａｒａｔｉｏｎ」が適用されていない場合には、無線基地局ｅＮＢは、ＳＩＢ２を介して、無線基地局ｅＮＢがサポートしているバンド内で、上りリンクにおけるキャリア周波数を識別する「ＵＬ  ＥＡＲＦＣＮ」を通知するように構成されている。
【００１１】
したがって、ＬＴＥ方式では、上述の非特許文献２に規定されている「Ｔｘ  Ｒｘ  ｓｅｐａｒａｔｉｏｎ」が適用されていない場合で、かつ、「ＥｑｕｉｖａｌｅｎｔＢａｎｄＩｎｄ」を通知する場合には、無線基地局ｅＮＢは、ＳＩＢ２を介して、上述の「ＵＬ  ＥＡＲＦＣＮ」に加えて、「ＥｑｕｉｖａｌｅｎｔＢａｎｄＩｎｄ」によって識別されるバンド内で、上りリンクにおけるキャリア周波数を識別する「ＵＬ  ＥＡＲＦＣＮ」を通知しなければならないという問題点があった。
【００１２】
そこで、本発明は、上述の課題に鑑みてなされたものであり、「ＥｑｕｉｖａｌｅｎｔＢａｎｄＩｎｄ」によって識別されるバンド用の「ＵＬ  ＥＡＲＦＣＮ」を報知することなく、移動局ＵＥにおいて、かかる「ＵＬ  ＥＡＲＦＣＮ」を算出することができる移動通信方法及び移動局を提供することを目的とする。
【課題を解決するための手段】
【００１３】
本発明の第１の特徴は、移動通信方法であって、移動局が、第１報知情報を介して、第１バンドを特定する第１バンド情報及び第２バンドを特定する第２バンド情報を取得する工程と、前記移動局が、第２報知情報を介して、前記第１バンド用の上りリンクにおける周波数識別情報を取得する工程と、前記移動局が、前記第１バンド情報及び前記第１バンド用の上りリンクにおける周波数識別情報を用いて、上りリンクにおけるキャリア周波数を算出する工程と、前記移動局が、前記第２バンド情報及び前記上りリンクにおけるキャリア周波数を用いて、前記第２バンド用の上りリンクにおける周波数識別情報を算出する工程とを有することを要旨とする。
【００１４】
本発明の第２の特徴は、受信部及び算出部を具備する移動局であって、前記受信部は、第１報知情報を介して、第１バンドを特定する第１バンド情報及び第２バンドを特定する第２バンド情報を取得し、第２報知情報を介して、該第１バンド用の上りリンクにおける周波数識別情報を取得するように構成されており、前記算出部は、前記第１バンド情報及び前記第１バンド用の上りリンクにおける周波数識別情報を用いて、上りリンクにおけるキャリア周波数を算出するように構成されており、前記算出部は、前記第２バンド情報及び前記上りリンクにおけるキャリア周波数を用いて、前記第２バンド用の上りリンクにおける周波数識別情報を算出するように構成されていることを要旨とする。
【発明の効果】
【００１５】
以上説明したように、本発明によれば、「ＥｑｕｉｖａｌｅｎｔＢａｎｄＩｎｄ」によって識別されるバンド用の「ＵＬ  ＥＡＲＦＣＮ」を報知することなく、移動局ＵＥにおいて、かかる「ＵＬ  ＥＡＲＦＣＮ」を算出することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動通信システムで用いられるバンドの一例を示す図である。
【図３】本発明の第１の実施形態に係る移動局の機能ブロック図である。
【図４】本発明の第１の実施形態に係る移動局の動作を示すフローチャートである。
【図５】本発明の第１の実施形態に係る移動局における算出処理で用いられる計算式を示す図である。
【図６】本発明の第１の実施形態に係る移動局における算出処理で用いられるパラメータを示すテーブルである。
【発明を実施するための形態】
【００１７】
（本発明の第１の実施形態に係る移動通信システム）
図１乃至図６を参照して、本発明の第１の実施形態に係る移動通信システムについて説明する。本実施形態を説明するための全図において、同一機能を有するものは同一符号を用い、繰り返しの説明は省略する。
【００１８】
本実施形態に係る移動通信システムは、ＬＴＥのＲｅｌｅａｓｅ１１方式に対応しており、図１に示すように、無線基地局ｅＮＢ及び移動局ＵＥを具備している。
【００１９】
また、本実施形態に係る移動通信システムでは、上述の「Ｔｘ  Ｒｘ  ｓｅｐａｒａｔｉｏｎ」が適用されていないものとする。
【００２０】
例えば、本実施形態に係る移動通信システムにおいて、図２に示すように、日本国内で、バンド１８/１９が用いられ、米国国内で、バンド５が用いられることを想定する。
【００２１】
なお、本明細書では、ＬＴＥ方式に対応するバンド番号（数字）を用いてバンドを特定することにするが、本発明は、Ｗ-ＣＤＭＡ方式のバンド番号（ローマ数字）を用いてバンドを特定する場合にも適用することができる。
【００２２】
ここで、バンド１８（第１バンド）は、８１５ＭＨｚから８３０ＭＨｚまでの１５Ｍｚのバンド幅及び８６０ＭＨｚから８７５ＭＨｚまでの１５Ｍｚのバンド幅を有するものであることが想定されている。
【００２３】
また、バンド１９（第１バンド）は、８３０ＭＨｚから８４５ＭＨｚまでの１５Ｍｚのバンド幅及び８７５ＭＨｚから８９０ＭＨｚまでの１５Ｍｚのバンド幅を有するものであることが想定されている。
【００２４】
さらに、バンド５（第１バンド）は、８２４ＭＨｚから８４９ＭＨｚまでの２５Ｍｚのバンド幅及び８６９ＭＨｚから８９４ＭＨｚまでの２５Ｍｚのバンド幅を有するものであることが想定されている。
【００２５】
なお、バンド５/１８/１９は、いずれも、ＬＴＥのＲｅｌｅａｓｅ８〜１０方式で用いられていた既存のバンドである。また、図２に示すように、バンド５及びバンド１８/１９は、重複するように構成されている。
【００２６】
一方、バンド２６（第２バンド）は、広範囲で利用が検討されているグローバルバンドであり、多くの地域の周波数割り当てを考慮するために広い帯域が定義され、８１４ＭＨｚから８４９ＭＨｚまでの３５Ｍｚのバンド幅及び８５９ＭＨｚから８９４ＭＨｚまでの３５Ｍｚのバンド幅を有するものであることが想定されている。
【００２７】
なお、図２に示すように、バンド２６及びバンド５/１８/１９は、重複するように構成されている。
【００２８】
本実施形態に係る移動局ＵＥは、図３に示すように、受信部１１と、算出部１２と、制御１３とを具備している。
【００２９】
受信部１１は、待ち受けセルにおいて送信されている報知情報（例えば、ＳＩＢ１やＳＩＢ２）を受信するように構成されている。
【００３０】
例えば、受信部１１は、ＳＩＢ１を介して、待ち受けセルにおいてサポートされているバンド１９を特定する「ＦｒｅｑＢａｎｄＩｎｄ（＝バンド１９）」を受信するように構成されている。
【００３１】
また、受信部１１は、ＳＩＢ１を介して、待ち受けセルにおいてサポートされているバンド５を包含するグローバルバンドであるバンド２６を特定する「ＥｑｕｉｖａｌｅｎｔＢａｎｄＩｎｄ（＝バンド２６）」を取得するように構成されている。
【００３２】
さらに、受信部１１は、ＳＩＢ２を介して、バンド１９用の「ＵＬ  ＥＡＲＦＣＮ」を取得するように構成されている。
【００３３】
算出部１２は、「ＦｒｅｑＢａｎｄＩｎｄ（＝バンド１９）」及びバンド１９用の「ＵＬ  ＥＡＲＦＣＮ」を用いて、上りリンクにおけるキャリア周波数ＦＵＬを算出するように構成されている。具体的な算出方法については、図４乃至図６を参照して後述する。
【００３４】
ここで、上りリンクにおけるキャリア周波数ＦＵＬは、バンド１９内、すなわち、バンド２６内のキャリア周波数である。
【００３５】
また、算出部１２は、「ＥｑｕｉｖａｌｅｎｔＢａｎｄＩｎｄ（＝バンド２６）」及び上りリンクにおけるキャリア周波数ＦＵＬを用いて、バンド２６用の「ＵＬ  ＥＡＲＦＣＮ」を算出するように構成されている。具体的な算出方法については、図４乃至図６を参照して後述する。
【００３６】
ここで、バンド２６用の「ＵＬ  ＥＡＲＦＣＮ」も、バンド１９用の「ＵＬ  ＥＡＲＦＣＮ」と同様に、上りリンクにおけるキャリア周波数ＦＵＬを識別するものである。
【００３７】
制御部１３は、受信部１１によって受信された「ＦｒｅｑＢａｎｄＩｎｄ（＝バンド１９）」によって識別されるバンド１９或いは受信部１１によって受信された「ＥｑｕｉｖａｌｅｎｔＢａｎｄＩｎｄ（＝バンド２６）」によって識別されるバンド２６にて接続処理を行うことができるように構成されている。
【００３８】
具体的には、制御部１３は、移動局ＵＥと無線基地局ｅＮＢとの間でＲＲＣコネクションが確立された後に、算出部１２によって算出された上りリンクにおけるキャリア周波数ＦＵＬを用いて、各種信号を送信するように構成されている。
【００３９】
また、制御部１３は、バンド１９用の「ＵＬ  ＥＡＲＦＣＮ」及びバンド２６用の「ＵＬ  ＥＡＲＦＣＮ」を用いて、上りリンクにおけるキャリア周波数ＦＵＬを識別するように構成されている。
【００４０】
以下、図４乃至図６を参照して、本実施形態に係る移動局ＵＥにおける算出処理の動作の一例について説明する。
【００４１】
図４に示すように、ステップＳ１０１において、移動局ＵＥは、待ち受けセルにおいて、ＳＩＢ１を介して、待ち受けセルにおいてサポートされているバンド１９を特定する「ＦｒｅｑＢａｎｄＩｎｄ（＝バンド１９）」を受信すると共に、待ち受けセルにおいてサポートされているバンド５を包含するグローバルバンドであるバンド２６を特定する「ＥｑｕｉｖａｌｅｎｔＢａｎｄＩｎｄ（＝バンド２６）」を取得する。
【００４２】
ステップＳ１０２において、移動局ＵＥは、待ち受けセルにおいて、ＳＩＢ２を介して、バンド１９用の「ＵＬ  ＥＡＲＦＣＮ」が報知されている場合、かかるバンド１９用の「ＵＬ  ＥＡＲＦＣＮ」を取得する。
【００４３】
ステップＳ１０３において、移動局ＵＥは、「ＦｒｅｑＢａｎｄＩｎｄ（＝バンド１９）」及びバンド１９用の「ＵＬ  ＥＡＲＦＣＮ」を用いて、上りリンクにおけるキャリア周波数ＦＵＬを算出する。
【００４４】
具体的には、移動局ＵＥは、図５に示す計算式を用いて、上りリンクにおけるキャリア周波数ＦＵＬを算出する。
【００４５】
ここで、「ＮＵＬ」は、バンド１９用の「ＵＬ  ＥＡＲＦＣＮ」であり、「ＦＵＬ_ｌｏｗ」及び「ＦＯｆｆｓ-ＵＬ」は、図６に示すテーブルに基づいて、バンド毎に一意に決まるパラメータである。
【００４６】
なお、図６に示すテーブルによれば、バンド１９に対応する「ＦＵＬ_ｌｏｗ」及び「ＦＯｆｆｓ-ＵＬ」は、それぞれ「８３０」及び「２４０００」である。
【００４７】
すなわち、移動局ＵＥは、図５に示す計算式において、「ＮＵＬ」に、バンド１９用の「ＵＬ  ＥＡＲＦＣＮ」を代入し、「ＦＵＬ_ｌｏｗ」及び「ＦＯｆｆｓ-ＵＬ」に、それぞれ「８３０」及び「２４０００」を代入することによって、上りリンクにおけるキャリア周波数ＦＵＬを算出する。
【００４８】
ステップＳ１０４において、移動局ＵＥは、ステップＳ１０３において算出した上りリンクにおけるキャリア周波数ＦＵＬ及び「ＥｑｕｉｖａｌｅｎｔＢａｎｄＩｎｄ（＝バンド２６）」に基づいて、バンド２６用の「ＵＬ  ＥＡＲＦＣＮ」を算出する。
【００４９】
具体的には、移動局ＵＥは、図５に示す計算式を用いて、バンド２６用の「ＵＬ  ＥＡＲＦＣＮ」を算出する。
【００５０】
すなわち、移動局ＵＥは、図５に示す計算式において、「ＦＵＬ」に、上りリンクにおけるキャリア周波数ＦＵＬを代入し、「ＦＵＬ_ｌｏｗ」及び「ＦＯｆｆｓ-ＵＬ」に、バンド２６に対応する「ＦＵＬ_ｌｏｗ」及び「ＦＯｆｆｓ-ＵＬ」を代入することによって、「ＮＵＬ」、すなわち、バンド２６用の「ＵＬ  ＥＡＲＦＣＮ」を算出する。
【００５１】
本発明の第１の実施形態に係る移動通信システムによれば、無線基地局ｅＮＢが、「ＦｒｅｑＢａｎｄＩｎｄ（＝バンド１９）」によって識別されるバンド１９用の「ＵＬ  ＥＡＲＦＣＮ」を報知するだけで、「ＥｑｕｉｖａｌｅｎｔＢａｎｄＩｎｄ（＝バンド２６）」によって識別されるバンド２６用の「ＵＬ  ＥＡＲＦＣＮ」を報知しなくても、移動局ＵＥは、バンド２６用の「ＵＬ  ＥＡＲＦＣＮ」を算出することができるので、無線リソースの浪費を回避することができる。
【００５２】
以上に述べた本実施形態の特徴は、以下のように表現されていてもよい。
【００５３】
本実施形態の第１の特徴は、移動通信方法であって、移動局ＵＥが、ＳＩＢ１（第１報知情報）を介して、バンド１９（第１バンド）を特定する「ＦｒｅｑＢａｎｄＩｎｄ（第１バンド情報）」及びバンド２６（第２バンド）を特定する「ＥｑｕｉｖａｌｅｎｔＢａｎｄＩｎｄ（第２バンド情報）」を取得する工程と、移動局ＵＥが、ＳＩＢ２（第２報知情報）を介して、バンド１９用の「ＵＬ  ＥＡＲＦＣＮ（上りリンクにおける周波数識別情報）」を取得する工程と、移動局ＵＥが、上述の「ＦｒｅｑＢａｎｄＩｎｄ」及びバンド１９用の「ＵＬ  ＥＡＲＦＣＮ」を用いて、上りリンクにおけるキャリア周波数を算出する工程と、移動局ＵＥが、上述の「ＥｑｕｉｖａｌｅｎｔＢａｎｄＩｎｄ」及び上りリンクにおけるキャリア周波数を用いて、バンド２６用の「ＵＬ  ＥＡＲＦＣＮ」を算出する工程とを有することを要旨とする。
【００５４】
本実施形態の第２の特徴は、受信部１１及び算出部１２を具備する移動局ＵＥであって、受信部１１は、ＳＩＢ１を介して、バンド１９を特定する「ＦｒｅｑＢａｎｄＩｎｄ」及びバンド２６を特定する「ＥｑｕｉｖａｌｅｎｔＢａｎｄＩｎｄ」を取得し、ＳＩＢ２を介して、バンド１９用の「ＵＬ  ＥＡＲＦＣＮ」を取得するように構成されており、算出部１２は、「ＦｒｅｑＢａｎｄＩｎｄ（＝バンド１９）」及びバンド１９用の「ＵＬ  ＥＡＲＦＣＮ」を用いて、上りリンクにおけるキャリア周波数を算出するように構成されており、算出部１２は、「ＥｑｕｉｖａｌｅｎｔＢａｎｄＩｎｄ（＝バンド２６）」及び上りリンクにおけるキャリア周波数を用いて、バンド２６用の「ＵＬ  ＥＡＲＦＣＮ」を算出するように構成されていることを要旨とする。
【００５５】
なお、上述の無線基地局ＢＳ及び移動局ＵＥの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＳ及び移動局ＵＥ内に設けられていてもよい。また、かかる記憶媒体及びプロセッサは、ディスクリートコンポーネントとして無線基地局ＢＳ及び移動局ＵＥ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ｅＮＢ…無線基地局
ＵＥ…移動局
１１…受信部
１２…算出部
１３…制御部
【図１】
2013098591.tif 000003
【図２】
2013098591.tif 000004
【図３】
2013098591.tif 000005
【図４】
2013098591.tif 000006
【図５】
2013098591.tif 000007
【図６】
2013098591.tif 000008